(57)【要約】【課題】 湿気を吸収して外部に効率良く放出することができる。【解決手段】 複数本の糸単体を束ねた第１糸材１４を編んでバンド本体２を構成した時計バンド１において、糸単体の芯部が吸放湿性を有するポリマー繊維と熱伝導性を有する合成繊維とで構成され、糸単体の外周部が熱伝導性を有する合成繊維で構成されている。従って、腕に装着して使用する際、腕の汗を糸単体のポリマー繊維によって十分に吸収してバンド本体２の表面から外部に効率良く放出することができ、これにより腕が蒸れないようにすることができる。また、吸収した湿気を放出するときの気化熱を糸単体の熱伝導性に優れた合成繊維によって腕に伝えて冷たい感触を与えることができ、これによってもバンド本体２を腕に装着して快適に使用することができる。【選択図】 図３
2010057929.tif 000002
【特許請求の範囲】
【請求項１】
少なくとも複数本の糸単体を束ねた糸材を編んでバンド本体を構成したバンドにおいて、
前記糸単体は芯部と外周部とからなり、
前記芯部は吸放湿性を有するポリマー繊維と熱伝導性を有する合成繊維とからなり、
前記外周部は熱伝導性を有する合成繊維からなる
ことを特徴するバンド。
【請求項２】
前記バンド本体の少なくとも表面の一部には、毛細管現象により湿気を前記バンド本体の面方向に導いて前記バンド本体の側面側から拡散放出する他の糸材が編み込まれていることを特徴する請求項１に記載のバンド。
【請求項３】
前記バンド本体には腕時計が取り付けられ、この腕時計が取り付けられる個所の前記バンド本体は、毛細管現象により湿気を前記バンド本体の面方向に導いて前記バンド本体の側面側から拡散放出する他の糸材のみで構成されていることを特徴する請求項１に記載のバンド。
【請求項４】
少なくとも複数本の糸単体を束ねた糸材を編んでバンド本体を構成したバンドにおいて、
前記糸単体は芯部と外周部とからなり、
前記芯部は光の吸収により加温性を有する合成繊維からなり、
前記外周部は熱伝導性を有する合成繊維からなる
ことを特徴するバンド。
【請求項５】
前記バンド本体には、吸放湿性を有するポリマー繊維と熱伝導性を有する合成繊維とからなる芯部、および熱伝導性を有する合成繊維からなる外周部とで構成された糸単体を複数本束ねた他の糸材が編み込まれていることを特徴する請求項４に記載のバンド。
【請求項６】
前記バンド本体には有色の通常糸材が編み込まれていることを特徴する請求項１〜５のいずれかに記載のバンド。
【請求項７】
放湿性を有する表面側合成皮革と、この表面側合成皮革の裏面側に設けられた多孔質の裏面側合成皮革と、前記表面側合成皮革と前記裏面側合成皮革との間に設けられた内装材とでバンド本体が構成され、
前記内装材が、吸放湿性を有するポリマー繊維と熱伝導性を有する合成繊維とからなる芯部、および熱伝導性を有する合成繊維からなる外周部とで構成された糸単体を複数本束ねた糸材によって構成されていることを特徴するバンド。
【請求項８】
腕時計ケースの上面に時計ガラスが設けられ、前記腕時計ケースの下面に裏蓋が設けられ、前記腕時計ケースの内部に時計モジュールが設けられた腕時計において、
前記腕時計ケースの下面側を覆うカバー部材を備え、このカバー部材における前記裏蓋に対応する個所に開口部が設けられ、この開口部に吸放湿部材が設けられていることを特徴する腕時計。
【請求項９】
前記吸放湿部材は、少なくとも、吸放湿性を有するポリマー繊維と熱伝導性を有する合成繊維とからなる芯部、および熱伝導性を有する合成繊維からなる外周部とで構成された糸単体を複数本束ねた糸材を編んで構成されていることを特徴する請求項８に記載の腕時計。
【請求項１０】
前記吸放湿部材の表面には、毛細管現象により湿気を前記吸放湿部材の面方向に導いて前記吸放湿部材の側面側から拡散放出する他の糸材が編み込まれていることを特徴する請求項８または９に記載の腕時計。
【発明の詳細な説明】
【技術分野】
【０００１】
この発明は、時計バンドなどのバンドおよび腕時計に関する。
【背景技術】
【０００２】
従来、腕時計を腕に装着するための時計バンドにおいては、腕にフィットさせ易くするために、糸材を編んでなるクロス製のバンド本体を用い、このバンド本体に腕時計を取り付けるように構成したのものがある。
【０００３】
しかしながら、この種の時計バンドでは、腕時計を腕に取り付けて使用するときに、腕の汗をある程度バンド本体によって吸収することはできても、十分に汗を吸収して効率良く湿気を放出させることがでないため、湿気がバンド本体に溜ってしまい、腕が蒸れ易いという問題がある。
【０００４】
また、このような時計バンドでは、汗などの湿気を吸収したバンド本体が乾く前に、再び腕に装着すると、吸収した湿気によってバンド本体の接触感が冷たく感じ、不快感を与えるという問題もある。なお、上記のような各問題は、腕時計においても、同様に生じる。
【先行技術文献】
【特許文献】
【０００５】
【特許文献１】特開平１１−３４２０１１号
【発明の概要】
【発明が解決しようとする課題】
【０００６】
この発明が解決しようとする第１の課題は、効率良く湿気を吸収して放出することができるバンドおよび腕時計を提供することにある。
また、この発明の第２の課題は、吸収した湿気によって接触感が冷たく感じ不快感を与えることがないバンドおよび腕時計を提供することにある。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図９に示すように、少なくとも複数本の糸単体（１７）を束ねた糸材（第１糸材１４）を編んでバンド本体（２、２１、２６）を構成したバンドにおいて、前記糸単体は芯部（１８）と外周部（１９）とからなり、前記芯部は吸放湿性を有するポリマー繊維と熱伝導性を有する合成繊維とからなり、前記外周部は熱伝導性を有する合成繊維からなることを特徴するバンド（時計バンド１、２０、２５）である。
【０００８】
請求項２に記載の発明は、図５および図６に示すように、前記バンド本体（２１）の少なくとも表面の一部に、毛細管現象により湿気を前記バンド本体の面方向に導いて前記バンド本体の側面側から拡散放出する他の糸材（第４糸材２２）が編み込まれていることを特徴する請求項１に記載のバンド（時計バンド２０）である。
【０００９】
請求項３に記載の発明は、図７〜図９に示すように、前記バンド本体（２６）に腕時計（３）が取り付けられ、この腕時計が取り付けられる個所（２６ｂ）の前記バンド本体が、毛細管現象により湿気を前記バンド本体の面方向に導いて前記バンド本体の側面側から拡散放出する他の糸材（第４糸材２２）のみで構成されていることを特徴する請求項１に記載のバンド（時計バンド２５）である。
【００１０】
請求項４に記載の発明は、図１０〜図１２に示すように、少なくとも複数本の糸単体（３３）を束ねた糸材（第１糸材３２）を編んでバンド本体（３１）を構成したバンドにおいて、前記糸単体は芯部（３４）と外周部（３５）とからなり、前記芯部は光の吸収により加温性を有する合成繊維からなり、前記外周部は熱伝導性を有する合成繊維からなることを特徴するバンド（時計バンド３０）である。
【００１１】
請求項５に記載の発明は、図１０〜図１２に示すように、前記バンド本体（３１）に、吸放湿性を有するポリマー繊維と熱伝導性を有する合成繊維とからなる芯部（１８）、および熱伝導性を有する合成繊維からなる外周部（１９）とで構成された糸単体（１７）を複数本束ねた他の糸材（第３糸材１６または第１糸材１４）が編み込まれていることを特徴する請求項４に記載のバンド（時計バンド３０）である。
【００１２】
請求項６に記載の発明は、図１〜図１２に示すように、前記バンド本体（２、２１、２６、３１）に有色の通常糸材（第２糸材１５）が編み込まれていることを特徴する請求項１〜５のいずれかに記載のバンド（時計バンド１、２０、２５、３０）である。
【００１３】
請求項７に記載の発明は、図１３〜図１５に示すように、放湿性を有する表面側合成皮革（４２）と、この表面側合成皮革の裏面側に設けられた多孔質の裏面側合成皮革（４３）と、前記表面側合成皮革と前記裏面側合成皮革との間に設けられた内装材（４４）とでバンド本体（４１）が構成され、前記内装材が、吸放湿性を有するポリマー繊維と熱伝導性を有する合成繊維とからなる芯部（１８）、および熱伝導性を有する合成繊維からなる外周部（１９）とで構成された糸単体（１７）を複数本束ねた糸材（第１糸材５０）によって構成されていることを特徴するバンド（時計バンド４０）である。
【００１４】
請求項８に記載の発明は、図１６〜図１９に示すように、腕時計ケース（４）の上面に時計ガラス（６）が設けられ、前記腕時計ケースの下面に裏蓋（８）が設けられ、前記腕時計ケースの内部に時計モジュール（７）が設けられた腕時計において、前記腕時計ケースの下面側を覆うカバー部材（６４）を備え、このカバー部材における前記裏蓋に対応する個所に開口部（６７）が設けられ、この開口部に吸放湿部材（６５）が設けられていることを特徴する腕時計（６０）である。
【００１５】
請求項９に記載の発明は、図１６〜図１９に示すように、前記吸放湿部材（６５）が、少なくとも、吸放湿性を有するポリマー繊維と熱伝導性を有する合成繊維とからなる芯部（１８）、および熱伝導性を有する合成繊維からなる外周部（１９）とで構成された糸単体（１７）を複数本束ねた糸材（第１糸材１４）を編んで構成されていることを特徴する請求項８に記載の腕時計（６０）である。
【００１６】
請求項１０に記載の発明は、図１６〜図１９に示すように、前記吸放湿部材（６５）の表面に、毛細管現象により湿気を前記吸放湿部材の面方向に導いて前記吸放湿部材の側面側から拡散放出する他の糸材（第４糸材２２）が編み込まれていることを特徴する請求項８または９に記載の腕時計（６０）である。
【発明の効果】
【００１７】
請求項１に記載の発明によれば、少なくとも複数本の糸単体を束ねた糸材を編んでバンド本体を構成したバンドにおいて、糸単体の芯部が吸放湿性を有するポリマー繊維と熱伝導性を有する合成繊維とからなり、糸単体の外周部が熱伝導性を有する合成繊維からなるので、糸単体の芯部を構成するポリマー繊維によって湿気を吸収すると共に、この吸収した湿気をバンド本体の外部に放出することができる。また、このときには、ポリマー繊維が吸収した湿気を放出するときの気化熱を、糸単体の芯部とその外周部との熱伝導性を有するナイロン繊維などの合成繊維によって、バンド本体のほぼ全域に伝えることができる。
【００１８】
このため、例えばバンド本体を腕に装着して使用する際、腕の汗を糸単体のポリマー繊維によって十分に吸収してバンド本体の表面から外部に効率良く放出することができ、これにより腕が蒸れないようにすることができる。また、糸単体のポリマー繊維が吸収した湿気をバンド本体から外部に放出するときの気化熱を、熱伝導性を有するナイロン繊維などの合成繊維によって腕に伝えて冷たい感触を与えることができるので、快適にバンド本体を腕に装着して使用することができる。
【００１９】
請求項２に記載の発明によれば、バンド本体の少なくとも表面の一部に、毛細管現象により湿気をバンド本体の面方向に導いてバンド本体の側面側から拡散放出する他の糸材が編み込まれていることにより、バンド本体の表裏両面の一方、例えば裏面側の湿気を上記と同様に糸単体の芯部によって効率良く吸収してバンド本体の表裏両面の他方、例えば表面側の他の糸材に伝えることができ、この伝えられた湿気を表面側の他の糸材の毛細管現象によってバンド本体の面方向に導いてバンド本体の側面側から外部に拡散放出することができる。このため、仮にバンド本体の表面にバンド本体の連結用の止め部材や腕時計などの部材が配置されて、バンド本体の表面からの湿気の放出が妨げられても、バンド本体内に湿気が溜ることがなく、効率良く湿気を外部側方に拡散放出することができる。
【００２０】
請求項３に記載の発明によれば、バンド本体に腕時計が取り付けられ、この腕時計が取り付けられる個所のバンド本体が、毛細管現象により湿気をバンド本体の面方向に導いてバンド本体の側面側から拡散放出する他の糸材のみで構成されていることにより、腕時計をバンド本体によって腕に取り付けて使用する際、バンド本体の表面に腕時計が配置されて、バンド本体の表面からの湿気の放出が妨げられても、バンド本体の裏面側の湿気を他の糸材によって効率良く吸収すると共に、この吸収した湿気を毛細管現象によってバンド本体の面方向に導いてバンド本体の側面側から外部に拡散放出することができる。このため、請求項２に記載の発明よりも、吸収した湿気を、より一層効率良く、バンド本体の側方に放出することができる。
【００２１】
請求項４に記載の発明によれば、少なくとも複数本の糸単体を束ねた糸材を編んでバンド本体を構成したバンドにおいて、糸単体の芯部が光の吸収により加温性を有する合成繊維からなり、糸単体の外周部が熱伝導性を有する合成繊維からなるので、糸単体の芯部を構成する合成繊維によって光を吸収して加温することができると共に、糸単体の外周部を構成する合成繊維によって加温された熱をバンド本体のほぼ全域に伝えることができる。このため、例えばバンド本体を腕などに装着するときに、バンド本体が湿気を含んでいても、バンド本体に光が当たることにより、バンド本体が加温されるので、バンド本体が冷たい感触を与えることがなく、温かい感触を与えることができ、これにより不快感を与えずに、快適に腕に装着して使用することができる。
【００２２】
請求項５に記載の発明によれば、請求項４に記載の発明のバンド本体に、吸放湿性を有するポリマー繊維と熱伝導性を有する合成繊維とからなる芯部、および熱伝導性を有する合成繊維からなる外周部とで構成された糸単体を複数本束ねた他の糸材が編み込まれていることにより、請求項４に記載の発明と同様の作用効果があるほか、特に吸放湿性を有する糸単体によって湿気を吸収して外部に放出することができ、これによりバンド本体内に湿気が溜らないようにすることができるので、より一層、快適に使用することができる。
【００２３】
請求項６に記載の発明によれば、バンド本体に有色の通常糸材が編み込まれていることにより、請求項１〜５に記載の発明と同様の作用効果があるほか、特に有色の通常糸材によって色彩性および装飾性を高めることができ、これにより外観的にもデザイン的にも優れたものを得ることができると共に、商品価値をも高めることができる。
【００２４】
請求項７に記載の発明によれば、放湿性を有する表面側合成皮革と、この表面側合成皮革の裏面側に設けられた多孔質の裏面側合成皮革と、表面側合成皮革と裏面側合成皮革との間に設けられた内装材とでバンド本体を構成したので、通常の合成皮革と同じ外観で且つ同じ感触のものを得ることができるほか、特に裏面側合成皮革が多孔質であるから、裏面側の湿気をバンド本体の内部に取り込むことができる。
【００２５】
このときには、内装材が、吸放湿性を有するポリマー繊維と熱伝導性を有する合成繊維とからなる芯部、および熱伝導性を有する合成繊維からなる外周部によって構成された糸単体を複数本束ねた糸材で構成されていることにより、裏面側合成皮革でバンド本体内に吸収した湿気を糸材の芯部によって効率良く吸収して表面側合成皮革に放出することができ、この放出された湿気を表面側合成皮革によってバンド本体の外部に放出することができる。このため、バンド本体内に湿気が溜ることがないので、例えばバンド本体を腕に装着して使用するときに、バンド本体によって腕が蒸れることがなく、快適に使用することができる。
【００２６】
請求項８に記載の発明によれば、腕時計ケースの上面に時計ガラスが設けられ、この腕時計ケースの内部に時計モジュールが設けられ、且つこの腕時計ケースの下面に裏蓋が設けられた腕時計において、この腕時計ケースの下面側を覆うカバー部材を備え、このカバー部材の裏蓋に対応する個所に開口部が設けられ、この開口部に吸放湿部材が設けられているので、腕時計を腕に装着して使用する際、腕時計ケースの下面側を覆うカバー部材の開口部に設けられた吸放湿部材によって、汗などの湿気を吸収することができ、この吸収した湿気を腕時計ケースの裏蓋とカバー部材との間の隙間から外部に放出することができるので、腕時計ケースによって腕が蒸れることがなく、快適に使用することができる。
【００２７】
請求項９に記載の発明によれば、吸放湿部材が、少なくとも、吸放湿性を有するポリマー繊維と熱伝導性を有する合成繊維とからなる芯部、および熱伝導性を有する合成繊維からなる外周部とで構成された糸単体を複数本束ねた糸材によって構成されていることにより、糸単体のポリマー繊維によって湿気を吸収してバンド本体の外部に放出するので、腕時計を腕に装着して使用する際、腕の汗を糸単体のポリマー繊維によって十分に吸収することができ、この吸収した湿気を効率良くカバー部材と裏蓋との間の隙間から外部に放出することができる。この場合にも、吸収した湿気を放出するときの気化熱を、糸単体の合成繊維によって腕に伝えて冷たい感触を与えることができるので、快適に腕に装着して使用することができる。
【００２８】
請求項１０に記載の発明によれば、吸放湿部材の表面に、毛細管現象により湿気を吸放湿部材の面方向に導いて吸放湿部材の側面側から拡散放出する他の糸材が編み込まれていることにより、吸放湿部材の裏面側の湿気をポリマー繊維と合成繊維とからなる糸材の芯部によって効率良く吸収して吸放湿部材の表面側の他の糸材に放出し、この放出された湿気を表面側の他の糸材の毛細管現象によって吸放湿部材の面方向に導いてカバー部材と裏蓋との間の隙間から外部に放出することができる。このため、請求項９に記載の発明よりも、吸収した湿気を効率良く外部に放出することができるので、より一層、快適に使用することができる。
【図面の簡単な説明】
【００２９】
【図１】この発明を時計バンドに適用した正面図である。（実施形態１）
【図２】図１の一部を破断した側面図である。
【図３】図２のＡ−Ａ矢視における拡大断面図である。
【図４】図３の糸単体を示した要部の拡大断面図である。
【図５】この発明を時計バンドに適用した一部破断した側面図である。（実施形態２）
【図６】図５のＢ−Ｂ矢視における拡大断面図である。
【図７】この発明を時計バンドに適用した一部破断した側面図である。（実施形態３）
【図８】図７のＣ−Ｃ矢視における拡大断面図である。
【図９】図７のＤ−Ｄ矢視における拡大断面図である。
【図１０】この発明を時計バンドに適用した一部破断した側面図である。（実施形態４）
【図１１】図１０のＥ−Ｅ矢視における拡大断面図である。
【図１２】図１１の糸単体を示した要部の拡大断面図である。
【図１３】この発明を時計バンドに適用した正面図である。（実施形態５）
【図１４】図１３の一部を破断した側面図である。
【図１５】図１４のＦ−Ｆ矢視における拡大断面図である。
【図１６】この発明を腕時計に適用した正面図である。（実施形態６）
【図１７】図１６の腕時計を破断した側面図である。
【図１８】図１７のカバー部材を上下反転して示した斜視図である。
【図１９】図１８のＧ−Ｇ矢視における拡大断面図である。
【発明を実施するための形態】
【００３０】
（実施形態１）
以下、図１〜図４を参照して、この発明を時計バンドに適用した実施形態１について説明する。
図１はこの発明の時計バンドに腕時計を取り付けた状態を示した正面図、図２はその一部を破断した側面図、図３は図２のＡ−Ａ矢視における拡大断面図、図４は図３の糸単体の拡大断面図である。
この時計バンド１は、図１および図２に示すように、全体が帯状のバンド本体２を備えており、腕時計３は腕時計ケース４を備えている。
【００３１】
この場合、腕時計ケース４の上部外周には、図１および図２に示すように、ベゼル４ａが設けられており、この腕時計ケース４の上面中央部には、時計ガラス６が取り付けられている。また、この腕時計ケース４の内部には、図２に示すように、時計モジュール７が収納されており、この腕時計ケース４の下面には、裏蓋８が取り付けられている。さらに、この腕時計ケース４の３時側、９時側、および６時側における各側面には、図１および図２に示すように、押釦スイッチ９が設けられている。
【００３２】
また、時計バンド１は、図２に示すように、バンド本体２が腕時計ケース４における１２時側と６時側とにそれぞれ設けられたバンド取付部５の取付孔５ａに連続して挿入されることにより、腕時計ケース４がバンド本体２に取り付けられるように構成されている。この時計バンド１のバンド本体２における１２時側の端部（図１および図２では上端部）には、尾錠１０が取り付けられている。この尾錠１０は、図１および図２に示すように、四角い枠状に形成され、この枠状内に２本の連結棒１０ａ、１０ｂが架け渡され、これにより全体がほぼ目字状に形成されている。
【００３３】
この尾錠１０は、図２に示すように、１２時側のバンド本体２の端部が尾錠１０の手前端部（図２では下端部）と手前側の連結棒１０ａとの間に下側から挿入され、この挿入された時計バンド１の端部が尾錠１０の先端部（図２では上端部）と先端側の連結棒１０ｂとの間に上側から挿入されて折り返され、この折り返された時計バンド１の端部が尾錠１０の２本の連結棒１０ａ、１０ｂの間に下側から挿入され、更にこの挿入された時計バンド１の端部が尾錠１０の手前端部と手前側の連結棒１０ａとの間に上側から挿入されることにより、１２時側のバンド本体２の端部に取り付けられるように構成されている。
【００３４】
また、このバンド本体２の６時側の端部には、第１面状ファスナ１１と第２面状ファスナ１２とがバンド本体２の長手方向に沿って設けられていると共に、遊環１３がスライド可能に取り付けられている。この場合、第１、第２面状ファスナ１１、１２は、一方が雄型に形成され、他方が雌型に形成され、バンド本体２の６時側の端部を尾錠１０内に挿入させて、第１、第２面状ファスナ１１、１２の間で折り返し、この折り返された第１、第２面状ファスナ１１、１２を重ね合わせると、第１、第２面状ファスナ１１、１２が互いに係脱可能に係合し、これにより６時側のバンド本体２の端部が１２時側のバンド本体２の尾錠１０に連結されるように構成されている。
【００３５】
ところで、この時計バンド１は、図３および図４に示すように、第１糸材１４、有色の第２糸材１５、および第３糸材１６をそれぞれ編み込むことにより、帯状のバンド本体２が構成されている。第１糸材１４は、複数本の糸単体１７を束ねたものであり、これら糸単体１７は、図４に示すように、芯部１８と外周部１９とからなっている。芯部１８は吸放湿性を有するポリマー繊維と熱伝導性を有する合成繊維とからなり、外周部１９は熱伝導性を有する合成繊維からなっている。この場合、芯部１８および外周部１９の熱伝導性を有する合成繊維としては、熱伝導性に優れたナイロン繊維であることが望ましい。
【００３６】
また、有色の第２糸材１５は、色展開を図るためのものであり、着色された通常の糸からなっている。さらに、第３糸材１６は、バンド本体２の表裏両面のみに編み込まれるものであり、通常の糸材であっても良いが、吸放湿性を有する構造のものであることが望ましい。すなわち、この第３糸材１６は、第１糸材１４と同様、複数本の糸単体１７を束ねたものであり、糸単体１７の芯部１８が吸放湿性を有するポリマー繊維と熱伝導性を有する合成繊維とからなり、糸単体１７の外周部１９が熱伝導性を有する合成繊維からなる構成になっていることが望ましいが、糸単体１７の芯部１８が吸放湿性を有するポリマー繊維のみで構成されていても良い。この場合にも、芯部１８および外周部１９の熱伝導性を有する合成繊維としては、熱伝導性に優れたナイロン繊維であることが望ましい。
【００３７】
このような時計バンド１では、第１糸材１４、有色の第２糸材１５、および第３糸材１６の３種類の糸材を編んでバンド本体２が構成されていると共に、第１、第３糸材１４、１６がそれぞれ複数本の糸単体１７を束ねてなり、これら糸単体１７の芯部１８が吸放湿性を有するポリマー繊維を備え、糸単体１７の外周部１９が熱伝導性を有する合成繊維からなるので、糸単体１７の芯部１８のポリマー繊維によって湿気を吸収することができると共に、この吸収した湿気をバンド本体２の外部に放出することができる。このときには、第１、第３糸材１４、１６が吸収した湿気を放出するときの気化熱を、第１、第３糸材１４、１６の熱伝導性を有する合成繊維、つまり熱伝導性に優れたナイロン繊維によってバンド本体２のほぼ全体に伝えることができる。
【００３８】
このため、この時計バンド１によれば、腕時計３が取り付けられたバンド本体２を腕に装着して使用する際、腕の汗などの湿気をバンド本体２の裏面側に位置する第３糸材１６のポリマー繊維が吸収し、この吸収した湿気をバンド本体２中に編み込まれた第１糸材１４のポリマー繊維が吸収し、この吸収した湿気をバンド本体２の表面側に位置する第３糸材１６のポリマー繊維が更に吸収してバンド本体２の表面から外部に放出するので、腕の汗を十分に吸収して効率良くバンド本体２の外部に放出することができ、これにより腕が蒸れないようにすることができる。
【００３９】
また、この時計バンド１によれば、第１、第３糸材１４、１６が吸収した湿気の気化熱を、第１、第３糸材１４、１６の熱伝導性に優れたナイロン繊維によってバンド本体２のほぼ全体に伝えることができるので、この気化熱を裏面側に位置する第３糸材１６の熱伝導性に優れたナイロン繊維によって腕に伝えて冷たい感触を与えることができ、これによってもバンド本体２を腕に装着して快適に使用することができる。また、この時計バンド１では、バンド本体２に有色の第２糸材１５が編み込まれていることにより、バンド本体２の色彩性および装飾性を高めることができ、これにより外観的にもデザイン的にも好ましいものを得ることができると共に、商品価値をも高めることができる。
【００４０】
なお、上記実施形態１では、第１糸材１４、有色の第２糸材１５、および第３糸材１６の３種類の糸材を編んでバンド本体２を構成したが、必ずしも３種類の糸材を編んでバンド本体２を構成する必要はなく、第１糸材１４のみを編んでバンド本体を構成しても良い。このような時計バンドにおいても、第１糸材１４によって湿気を吸収して放出することができると共に、その気化熱を腕に伝えることができるので、実施形態１とほぼ同様の作用効果がある。
【００４１】
（実施形態２）
次に、図５および図６を参照して、この発明を時計バンドに適用した実施形態２について説明する。なお、図１〜図４に示された実施形態１と同一部分には同一符号を付して説明する。
この時計バンド２０は、第１〜第３糸材１４〜１６のほかに、第４糸材２２を編み込んで帯状のバンド本体２１が構成され、これ以外は実施形態１とほぼ同じ構成になっている。すなわち、この第４糸材２２は、毛細管現象により湿気をバンド本体２１の面方向に導いてバンド本体２１の側面側から拡散放出する構造で、バンド本体２１の表面（図６では上面）のみに編み込まれている。この場合には、第３糸材１６はバンド本体２１の裏面（図６では下面）のみに編み込まれている。
【００４２】
このような時計バンド２０では、実施形態１と同様の作用効果があるほか、特にバンド本体２１の表面に、毛細管現象により湿気をバンド本体２１の面方向に導いてバンド本体２１の側面側から拡散放出する第４糸材２２が編み込まれているので、腕時計３を腕に装着して使用するときに、バンド本体２１の裏面側の湿気を第１、第３糸材１４、１６の糸単体１７における芯部１８のポリマー繊維によって効率良く吸収してバンド本体２１の表面に編み込まれた第４糸材２２に伝えることができ、この伝えられた湿気を第４糸材２２の毛細管現象によってバンド本体２１の面方向に導いてバンド本体２１の側面側から外部に拡散放出することができる。
【００４３】
このため、この時計バンド２０では、バンド本体２１の表面に腕時計３や第１、第２面状ファスナ１１、１２が設けられ、これら腕時計３や第１、第２面状ファスナ１１、１２によってバンド本体２１の表面から湿気を放出することができなくても、バンド本体２１内に湿気が溜ることがなく、効率良く湿気をバンド本体２１の側面側から外部に拡散放出することができる。これにより、バンド本体２１の表面に腕時計３や第１、第２面状ファスナ１１、１２が設けられていても、腕の汗などの湿気を十分に吸収して効率良くバンド本体２１の外部側方に放出するので、腕が蒸れることなく、快適に使用することができる。
【００４４】
（実施形態３）
次に、図７〜図９を参照して、この発明を時計バンドに適用した実施形態３について説明する。この場合にも、図１〜図４に示された実施形態１と同一部分には同一符号を付して説明する。
この時計バンド２５は、腕時計３や第１、第２面状ファスナ１１、１２が設けられていない個所２６ａのバンド本体２６と、腕時計３や第１、第２面状ファスナ１１、１２が設けられている個所２６ｂのバンド本体２６とで、バンド本体２６の構成が異なる構造で、これ以外は実施形態１とほぼ同じ構造になっている。
【００４５】
すなわち、腕時計３や第１、第２面状ファスナ１１、１２が設けられない個所２６ａのバンド本体２６は、図８に示すように、第１、第２糸材１４、１５を編んだ構成になっている。この第１糸材１４は、実施形態１と同様、吸放湿性を有するポリマー繊維と熱伝導性を有する合成繊維とからなる芯部１８、および熱伝導性を有する合成繊維からなる外周部１９とで構成された糸単体１７を複数本束ねた構成になっている。この場合にも、芯部１８および外周部１９の熱伝導性を有する合成繊維としては、熱伝導性に優れたナイロン繊維であることが望ましい。また、第２糸材１５は、実施形態１と同様、色展開を図るためのものであり、着色された通常の糸からなっている。
【００４６】
一方、腕時計３および第１、第２面状ファスナ１１、１２のうち、少なくとも腕時計３が設けられる個所２６ｂのバンド本体２６は、図９に示すように、第４糸材２２のみを編んだ構成になっている。この第４糸材２２は、実施形態２と同様、毛細管現象により湿気をバンド本体２６の面方向に導いてバンド本体２６の側面側から拡散放出するように構成されている。
【００４７】
このような時計バンド２５においても、腕に装着して使用するときに、腕時計３や第１、第２面状ファスナ１１、１２が設けられていない個所２６ａのバンド本体２６が、図８に示すように、第１、第２糸材１４、１５を編んだ構成になっているので、第１糸材１４のポリマー繊維によって腕の汗などの湿気を吸収してバンド本体２６の表面から外部に放出することができると共に、その放出される湿気の気化熱を芯部１８および外周部１９の熱伝導性に優れた合成繊維であるナイロン繊維によってバンド本体２６のほぼ全体に伝えることができる。
【００４８】
このため、この時計バンド２５では、腕時計３や第１、第２面状ファスナ１１、１２が設けられていない個所２６ａのバンド本体２６が、腕の汗などの湿気を十分に吸収して効率良くバンド本体２６の表面から外部に放出することができるので、腕が蒸れないようにすることができると共に、吸収した湿気の気化熱を腕に伝えて冷たい感触を与えることができるので、実施形態１と同様、快適に腕に装着して使用することができる。この場合にも、バンド本体２６に有色の第２糸材１５が編み込まれているので、バンド本体２６の色彩性および装飾性を高めることができ、これにより外観的にもデザイン的にも好ましいものを得ることができると共に、商品価値をも高めることができる。
【００４９】
また、この時計バンド２５では、腕時計３が取り付けられる個所２６ｂのバンド本体２６が、毛細管現象により湿気をバンド本体２６の面方向に導いてバンド本体２６の側面側から拡散放出する第４糸材２２のみで構成されているので、腕に取り付けて使用する際、腕時計３によってバンド本体２６の表面からの湿気の放出が妨げられても、腕の汗などの湿気を第４糸材２２によって効率良く吸収し、この吸収した湿気を第４糸材２２の毛細管現象によってバンド本体２６の面方向に導いてバンド本体２６の側面側から外部に拡散放出することができる。このため、バンド本体２６の表面に腕時計３が配置されていても、吸収した湿気を効率良くバンド本体２６の側方に放出することができるので、より一層、快適に使用することができる。
【００５０】
（実施形態４）
次に、図１０〜図１２を参照して、この発明を時計バンドに適用した実施形態４について説明する。この場合にも、図１〜図４に示された実施形態１と同一部分には同一符号を付して説明する。
この時計バンド３０は、図１１に示すように、バンド本体３１が光の吸収によって加温性を有する第１糸材３２、有色の第２糸材１５、および第３糸材１６を帯状に編んだ構成で、これ以外は実施形態１とほぼ同じ構造になっている。
【００５１】
すなわち、第１糸材３２は、複数本の糸単体３３を束ねた構成になっており、糸単体３３は、図１２に示すように、芯部３４と外周部３５とからなっている。この糸単体３３の芯部３４は可視光線や赤外線などの光を吸収して熱を発生することにより加温性を有する合成繊維、例えばポリマー繊維やモノマー繊維からなっている。また、糸単体３３の外周部３５は熱伝導性を有する合成繊維、例えば熱伝性に優れたナイロン繊維からなっている。なお、第２糸材１５は、実施形態１と同様、色展開を図るためのものであり、着色された通常の糸からなっている。
【００５２】
また、第３糸材１６は、実施形態１と同様、バンド本体３１の表裏両面のみに編み込まれるものであり、通常の糸材であっても良いが、吸放湿性を有する構造のものであることが望ましい。すなわち、この第３糸材１６は、複数本の糸単体１７を束ねたものであり、糸単体１７の芯部１８が吸放湿性を有するポリマー繊維と熱伝導性を有する合成繊維とからなり、糸単体１７の外周部１９が熱伝導性を有する合成繊維からなる構成になっていることが望ましいが、糸単体１７の芯部１８が吸放湿性を有するポリマー繊維のみで構成されていても良い。この場合にも、芯部１８および外周部１９の熱伝導性を有する合成繊維しては、熱伝導性に優れたナイロン繊維であることが望ましい。
【００５３】
このような時計バンド３０によれば、第１、第２、第３糸材３２、１５、１６を編んでバンド本体３１を構成すると共に、第１糸材３２が複数本の糸単体３３を束ねてなり、この糸単体３３の芯部３４が光の吸収により加温性を有する合成繊維からなり、糸単体３３の外周部３５が熱伝導性を有する合成繊維からなるので、糸単体３３の芯部３４を構成する合成繊維によって光を吸収して加温することができると共に、糸単体３３の外周部３５および第３糸材１６の合成繊維であるナイロン繊維によって加温された熱をバンド本体３１のほぼ全域に伝えることができる。
【００５４】
このため、バンド本体３１を腕に装着して使用するときに、バンド本体３１が湿気を含んでいても、バンド本体３１に光が当ることにより、第１糸材３２が加温され、この加温された熱が第１糸材３２および第３糸材１６の熱伝導性に優れた合成繊維であるナイロン繊維によってバンド本体３１の表裏両面に伝わるので、バンド本体３１が冷たい感触を与えず、温かい感触を与えることができ、これにより不快感を与えることがなく、快適に腕に装着して使用することができる。
【００５５】
なお、上記実施形態４では、第１糸材３２、有色の第２糸材１５、および第３糸材１６の３種類の糸材を編んでバンド本体３１を構成したが、必ずしも３種類の糸材を編んでバンド本体３１を構成する必要はなく、第１糸材３２のみを編んでバンド本体を構成しても良い。このような時計バンドでも、光を吸収して加温することができるので、実施形態４とほぼ同様の作用効果がある。
【００５６】
（実施形態５）
次に、図１３〜図１５を参照して、この発明を時計バンドに適用した実施形態５について説明する。この場合にも、図１〜図４に示された実施形態１と同一部分には同一符号を付して説明する。
この時計バンド４０は、図１５に示すように、バンド本体４１が表面側合成皮革４２、裏面側合成皮革４３、および内装材４４によって構成され、これ以外は実施形態１とほぼ同じ構成になっている。
【００５７】
この場合、バンド本体４１は、図１３および図１４に示すように、全体がほぼ帯状に形成されている。このバンド本体４１の１２時側に位置する先端部には、ほぼコ字状の尾錠４５とツク棒４６とが取付ピン４７によって取り付けられており、この１２時側のバンド本体４１には、遊環４８がスライド可能に取り付けられている。また、バンド本体４１の６時側には、ツク棒４６がそれぞれ挿入する複数の係止孔４９がバンド本体４１の長手方向に沿って所定間隔で設けられている。
【００５８】
一方、バンド本体４１の表面側合成皮革４２は、図１５に示すように、放湿性を有する合成樹脂からなっており、裏面側合成皮革４３は、多数の細孔４３ａが形成された多孔質の合成樹脂からなり、表面側合成皮革４２の裏面側に設けられている。内装材４４は、吸放湿性を有する第１糸材５０を編んだ構成で、表面側合成皮革４２と裏面側合成皮革４３との間の空間内に設けられている。
【００５９】
第１糸材５０は、実施形態１の第１糸材１４と同様、複数本の糸単体１７を束ねてなり、この糸単体１７は、芯部１８と外周部１９とからなっている。この糸単体１７の芯部１８は吸放湿性を有するポリマー繊維と熱伝導性を有する合成繊維とからなっており、糸単体１７の外周部１９は熱伝導性を有する合成繊維からなっている。この場合にも、芯部１８および外周部１９の熱伝導性を有する合成繊維としては、熱伝導性に優れたナイロン繊維であることが望ましい。
【００６０】
このような時計バンド４０によれば、放湿性を有する表面側合成皮革４２と、この表面側合成皮革の裏面側に設けられた多孔質の裏面側合成皮革４３と、表面側合成皮革４２と裏面側合成皮革４３との間の空間内に設けられた内装材４４とでバンド本体４１を構成したので、通常の合成皮革と同じ外観で且つ同じ感触のものを得ることができる。また、このバンド本体４１は、裏面側合成皮革４３が多数の細孔４３ａを有する多孔質であるから、バンド本体４１を腕に装着して使用するときに、腕の汗などの湿気を裏面側合成皮革４３の多数の細孔４３ａによってバンド本体４１の内部に吸収することができる。
【００６１】
このときには、内装材４４が、実施形態１の第１糸材１４と同じ構造の第１糸材５０を編んだ構成で、この第１糸材５０が、吸放湿性を有するポリマー繊維と熱伝導性を有する合成繊維とからなる芯部１８、および熱伝導性を有する合成繊維からなる外周部とで構成された糸単体５１を複数本束ねた構成であるから、裏面側合成皮革４３でバンド本体４１内に吸収した湿気を糸単体５１の芯部１８によって効率良く吸収して表面側合成皮革４２に放出することができ、この放出された湿気を表面側合成皮革４２によってバンド本体４１の外部に放出することができる。このため、この時計バンド４０においても、実施形態１と同様、腕が蒸れることなく、快適に腕に装着して使用することができる。
【００６２】
（実施形態６）
次に、図１６〜図１９を参照して、この発明を腕時計に適用した実施形態６について説明する。この場合には、図１〜図４に示された実施形態１および図１３〜図１５に示された実施形態５と同一部分に同一符号を付して説明する。
この腕時計６０は、図１６および図１７に示すように、腕時計ケース４の１２時側と６時側とにそれぞれ設けられたバンド取付部５に時計バンド６１のバンド本体６２がそれぞれ取付ピン６３で取り付けられていると共に、この腕時計ケース４の下面側にカバー部材６４が設けられ、このカバー部材６４に吸放湿部材６５が設けられた構成になっている。
【００６３】
この場合、腕時計ケース４の上部外周には、実施形態１と同様、ベゼル４ａが設けられており、この腕時計ケース４の上面中央部には、図１６および図１７に示すように、時計ガラス６が取り付けられている。また、この腕時計ケース４の内部には、時計モジュール７が収納されており、この腕時計ケース４の下面には、裏蓋８が取り付けられている。さらに、この腕時計ケース４の３時側、９時側、および６時側における側面には、押釦スイッチ９が設けられている。
【００６４】
また、腕時計ケース４の１２時側に位置するバンド本体６２の先端部には、実施形態５と同様、ほぼコ字状の尾錠４５とツク棒４６とが取付ピン４７によって取り付けられており、この１２時側のバンド本体６２には、図１６および図１７に示すように、遊環４８がスライド可能に取り付けられている。また、バンド本体６２の６時側には、ツク棒４６がそれぞれ挿入する複数の係止孔４９がバンド本体６２の長手方向に沿って所定間隔で設けられている。
【００６５】
一方、腕時計ケース４の下面側に設けられたカバー部材６４は、ウレタン樹脂などの合成樹脂からなり、図１７に示すように、腕時計ケース４の下部外周、バンド取付部５、および裏蓋８を覆うように形成されている。このカバー部材６４には、図１８に示すように、バンド取付部５に取り付けられるバンド本体６２の各端部が隙間（図示せず）を持って挿入する挿入口６６が設けられていると共に、裏蓋８に対応する個所に開口部６７が設けられており、この開口部６７の縁部には、吸放湿部材６５が開口部６７を塞いで取り付けられている。
【００６６】
この吸放湿部材６５は、図１９に示すように、開口部６７の内周面にインサート成形によって一体的に設けられているが、これに限らず、吸放湿部材６５の縁部を開口部６７の縁部に縫合によって取り付けた構造でも良い。この場合、吸放湿部材６５およびカバー部材６４は、図１７に示すように、腕時計ケース４の下面つまり裏蓋８との間に所定の隙間６８を持って腕時計ケース４の下部外周に取り付けられるように構成されている。また、この吸放湿部材６５は、図１９に示すように、第１糸材１４、有色の第２糸材１５、および第４糸材２２を編んだ布状に形成されている。
【００６７】
この場合にも、第１糸材１４は、実施形態１と同様、複数本の糸単体１７を束ねてなり、この糸単体１７の芯部１８が吸放湿性を有するポリマー繊維と熱伝導性を有する合成繊維とからなり、糸単体１７の外周部１９が熱伝導性を有する合成繊維からなる構成になっている。これら芯部１８および外周部１９の熱伝導性を有する合成繊維としても、熱伝導性に優れたナイロン繊維であることが望ましい。また、有色の第２糸材１５も、実施形態１と同様、色展開を図るためのものであり、着色された通常の糸からなっている。さらに、第４糸材２２は、実施形態２と同様、毛細管現象により湿気を吸放湿部材６５の面方向に導いて吸放湿部材６５の側面側から拡散放出する構造で、吸放湿部材６５の上面側のみに編み込まれている。
【００６８】
このような腕時計６０によれば、時計バンド６１によって腕時計ケース４を腕に装着して使用するときに、腕時計ケース４の裏蓋８が腕に直接接触せず、腕時計ケース４の下部外周に装着されたカバー部材６４の開口部６７に設けられた吸放湿部材６５が腕に接触することになるので、この吸放湿部材６５によって腕の汗などの湿気を吸収することができ、この吸収した湿気を腕時計ケース４の裏蓋８とカバー部材６４との間の隙間６８および挿入口６６の隙間を通して腕時計ケース４の外部に放出することができ、これにより腕時計ケース４によって腕が蒸れないようにすることができる。
【００６９】
すなわち、吸放湿部材６５は、吸放湿性を有するポリマー繊維と熱伝導性を有する合成繊維とからなる芯部１８、および熱伝導性を有する合成繊維からなる外周部１９とで構成された糸単体１７を複数本束ねた第１糸材１４と、毛細管現象により湿気を裏蓋８の面方向に導いて吸放湿部材６５の側面側から拡散放出する第４糸材２２とを備えた構成であるから、第１糸材１４のポリマー繊維によって湿気を吸収することができると共に、この吸収した湿気を第４糸材２２に放出して伝えることができ、この伝えられた湿気を第４糸材２２の毛細管現象によって吸放湿部材６５の面方向に導いてカバー部材６４と裏蓋８との間の隙間６８および挿入口６６の隙間を通して腕時計ケース４の外部に効率良く放出することができる。
【００７０】
このため、この腕時計６０では、腕に装着して使用する際、腕の汗を吸放湿部材６５の第１糸材１４のポリマー繊維によって十分に吸収することができ、この吸収した湿気を第４糸材２２に伝え、この伝えられた湿気を第４糸材２２の毛細管現象によって吸放湿部材６５の面方向に導いて腕時計ケース４の外部に効率良く放出することができるので、腕時計ケース４によって腕が蒸れないようにすることができる。このときにも、腕時計ケース４から外部に放出される湿気の気化熱を、第１糸材１４の熱伝導性に優れた合成繊維であるナイロン繊維によって、腕に伝えて冷たい感触を与えることができるので、快適に腕に装着して使用することができる。
【００７１】
なお、上記実施形態６では、第１糸材１４、有色の第２糸材１５、および第４糸材２２の３種類の糸材を編んで吸放湿部材６５を構成したが、必ずしも３種類の糸材を編んで吸放湿部材６５を構成する必要はなく、第１糸材１４のみを編んで吸放湿部材６５を構成しても良い。このような吸放湿部材においても、第１糸材１４によって湿気を吸収して放出することができると共に、その気化熱を腕に伝えることができるので、実施形態６とほぼ同様の効果がある。
また、上記実施形態１〜５では時計バンド１、２０、２５、３０、４０に適用した場合について述べたが、必ずしも腕時計を腕に装着するための時計バンドに限られる必要はなく、他のバンドやベルトなどにも適用することができる。
【符号の説明】
【００７２】
１、２０、２５、３０、４０ 時計バンド
２、２１、２６、３１、４１ バンド本体
３、６０ 腕時計
４ 腕時計ケース
６ 時計ガラス
７ 時計モジュール
８ 裏蓋
１４、３２、５０ 第１糸材
１５ 第２糸材
１６ 第３糸材
１７、３３ 糸単体
１８、３４ 芯部
１９、３５ 外周部
２２ 第４糸材
４２ 表面側合成皮革
４３ 裏面側合成皮革
４３ａ 細孔
４４ 内装材
６４ カバー部材
６５ 吸放湿部材
６７ 開口部
６８ 隙間
【図１】
2010057929.tif 000003
【図２】
2010057929.tif 000004
【図３】
2010057929.tif 000005
【図４】
2010057929.tif 000006
【図５】
2010057929.tif 000007
【図６】
2010057929.tif 000008
【図７】
2010057929.tif 000009
【図８】
2010057929.tif 000010
【図９】
2010057929.tif 000011
【図１０】
2010057929.tif 000012
【図１１】
2010057929.tif 000013
【図１２】
2010057929.tif 000014
【図１３】
2010057929.tif 000015
【図１４】
2010057929.tif 000016
【図１５】
2010057929.tif 000017
【図１６】
2010057929.tif 000018
【図１７】
2010057929.tif 000019
【図１８】
2010057929.tif 000020
【図１９】
2010057929.tif 000021
【手続補正書】
【提出日】平成21年10月15日(2009.10.15)
【手続補正１】
【補正対象書類名】明細書
【補正対象項目名】０００７
【補正方法】変更
【補正の内容】
【０００７】
この発明は、上記課題を解決するために、次のような構成要素を備えている。
なお、各構成要素には、後述する各実施形態の項で説明される各要素に付されている図面の参照番号などを括弧と共に付す。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項１に記載の発明は、図１０〜図１２に示すように、
複数本の糸単体（３３）を束ねた糸材（第１糸材３２）を編んでバンド本体（３１）を構成したバンドにおいて、
前記糸単体は、芯部（３４）とこの芯部を取り囲む外周部（３５）とからなり、
前記芯部は、光を吸収して熱を発生し、この発生した熱により加温される、加温性を有する合成繊維からなる加温部材を備え、
前記外周部は、前記加温部材により加温された熱をバンド本体の全域に伝える、熱伝導性を有する合成繊維からなる熱伝導性部材を備えていることを特徴するバンド（時計バンド３０）である。
【手続補正５】
【補正対象書類名】明細書
【補正対象項目名】００１１
【補正方法】変更
【補正の内容】
【００１１】
請求項２に記載の発明は、図１０〜図１２に示すように、
前記バンド本体（３１）は、湿気を吸収し、この吸収した湿気を外部に放出する吸放湿性を有するポリマー繊維からなる吸放湿性部材と、この吸放湿性部材により湿気を外部に放出する際に発生する気化熱を前記バンド本体の全域に熱伝導するための熱伝導性を有する合成繊維とからなる芯部（１８）と、湿気を外部に放出する際に発生する気化熱を前記バンド本体の全域に熱伝導するための合成繊維からなる外周部（１９）とで構成された糸単体（１７）を複数本束ねた他の糸材（第３糸材１６または第１糸材１４）が編み込まれていることを特徴する請求項１に記載のバンド（時計バンド３０）である。
【手続補正６】
【補正対象書類名】明細書
【補正対象項目名】００１２
【補正方法】変更
【補正の内容】
【００１２】
請求項３に記載の発明は、図１〜図１２に示すように、
前記バンド本体（２、２１、２６、３１）は、当該バンド本体の色彩性および装飾性を高める有色の通常糸材（第２糸材１５）が編み込まれていることを特徴する請求項１〜５のいずれかに記載のバンド（時計バンド１、２０、２５、３０）である。
【手続補正７】
【補正対象書類名】明細書
【補正対象項目名】００１３
【補正方法】変更
【補正の内容】
【００１３】
請求項４に記載の発明は、図１３〜図１５に示すように、
湿気を吸収し、この吸収した湿気を放出するための放湿性を有する表面側合成皮革（４２）と、湿気をバンド本体の内部に吸収するために、この表面側合成皮革の裏面側に設けられた多孔質の裏面側合成皮革（４３）と、前記表面側合成皮革と前記裏面側合成皮革との間に設けられた内装材（４４）とでバンド本体（４１）が構成されていることを特徴するバンド（時計バンド４０）である。
【手続補正８】
【補正対象書類名】明細書
【補正対象項目名】００１４
【補正方法】変更
【補正の内容】
【００１４】
請求項５に記載の発明は、図１６〜図１９に示すように、
腕時計ケース（４）と、この腕時計ケースの上面に設けた時計ガラス（６）と、前記腕時計ケースの下面に設けた裏蓋（８）と、前記腕時計ケースの内部に設けた時計モジュール（７）とを備えている腕時計において、
前記腕時計ケースの下面側を覆い、かつ、前記裏蓋に対応する個所に開口部（６７）が設けられているカバー部材（６４）と、このカバー部材における開口部に設けられ、、湿気を吸収し、この吸収した湿気を前記裏蓋と前記カバー部材との間の隙間から外部に放出するための吸放湿部材（６５）と、
を備えていることを特徴する腕時計（６０）である。
【手続補正９】
【補正対象書類名】明細書
【補正対象項目名】００１５
【補正方法】変更
【補正の内容】
【００１５】
請求項６に記載の発明は、図１６〜図１９に示すように、前記吸放湿部材（６５）は、
湿気を吸収し、この吸収した湿気を外部に放出するポリマー繊維からなる吸放湿性部材と、この吸放湿性部材により湿気を外部に放出する際に発生する気化熱を前記バンド本体の全域に熱伝導するための合成繊維からなる第１の熱伝導性部材とを備えている芯部（１８）、および前記第１の熱伝導性部材により熱伝導された気化熱を外部に放出するための合成繊維からなる第２の熱伝導性部材を備えている外周部（１９）とで構成された糸単体（１７）を複数本束ねた糸材（第１糸材１４）を編んで構成されていることを特徴する請求項５に記載の腕時計（６０）である。
【手続補正１０】
【補正対象書類名】明細書
【補正対象項目名】００１６
【補正方法】変更
【補正の内容】
【００１６】
請求項７に記載の発明は、図１６〜図１９に示すように、前記吸放湿部材（６５）の表面は、毛細管現象により湿気を前記吸放湿部材の面方向に導いて前記吸放湿部材の側面側から拡散放出する他の糸材（第４糸材２２）が編み込まれていることを特徴する請求項５または６に記載の腕時計（６０）である。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
請求項１に記載の発明によれば、糸単体の芯部によって光を吸収して加温することができると共に、この加温された熱をバンド本体のほぼ全域に伝えることができる。このため、例えばバンド本体を腕などに装着するときに、バンド本体が湿気を含んでいても、バンド本体に光が当たることにより、バンド本体が加温されるので、バンド本体が冷たい感触を与えることがなく、温かい感触を与えることができ、これにより不快感を与えずに、快適に腕に装着して使用することができる。
【手続補正１６】
【補正対象書類名】明細書
【補正対象項目名】００２２
【補正方法】変更
【補正の内容】
【００２２】
請求項２に記載の発明によれば、請求項１に記載の発明と同様の作用効果があるほか、吸放湿性部材によって湿気を吸収して外部に放出することができ、これによりバンド本体内に湿気が溜らないようにすることができるので、より一層、快適に使用することができる。
【手続補正１７】
【補正対象書類名】明細書
【補正対象項目名】００２３
【補正方法】変更
【補正の内容】
【００２３】
請求項３に記載の発明によれば、請求項１に記載の発明と同様の作用効果があるほか、有色の通常糸材によって色彩性および装飾性を高めることができ、これにより外観的にもデザイン的にも優れたものを得ることができると共に、商品価値をも高めることができる。
【手続補正１８】
【補正対象書類名】明細書
【補正対象項目名】００２４
【補正方法】変更
【補正の内容】
【００２４】
請求項４に記載の発明によれば、合成皮革と同じ外観で且つ同じ感触のものを得ることができるほか、裏面側合成皮革が多孔質であるから、裏面側の湿気をバンド本体の内部に取り込むことができる。
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】変更
【補正の内容】
【００２６】
請求項５に記載の発明によれば、腕時計を腕に装着して使用する際、腕時計ケースの下面側を覆うカバー部材の開口部に設けられた吸放湿部材によって、汗などの湿気を吸収することができ、この吸収した湿気を腕時計ケースの裏蓋とカバー部材との間の隙間から外部に放出することができるので、腕時計ケースによって腕が蒸れることがなく、快適に使用することができる。
【手続補正２１】
【補正対象書類名】明細書
【補正対象項目名】００２７
【補正方法】変更
【補正の内容】
【００２７】
請求項６に記載の発明によれば、腕時計を腕に装着して使用する際、腕の汗を糸単体のポリマー繊維によって十分に吸収することができる。この結果、この吸収した湿気を効率良くカバー部材と裏蓋との間の隙間から外部に放出することができる。この場合にも、吸収した湿気を放出するときの気化熱を、糸単体の合成繊維によって腕に伝えて冷たい感触を与えることができるので、快適に腕に装着して使用することができる。
【手続補正２２】
【補正対象書類名】明細書
【補正対象項目名】００２８
【補正方法】変更
【補正の内容】
【００２８】
請求項７に記載の発明によれば、吸放湿部材の裏面側の湿気をポリマー繊維と合成繊維とからなる糸材の芯部によって効率良く吸収して吸放湿部材の表面側の他の糸材に放出し、この放出された湿気を表面側の他の糸材の毛細管現象によって吸放湿部材の面方向に導いてカバー部材と裏蓋との間の隙間から外部に放出することができる。このため、請求項６に記載の発明よりも、吸収した湿気を効率良く外部に放出することができるので、より一層、快適に使用することができる
【手続補正２３】
【補正対象書類名】特許請求の範囲
【補正対象項目名】全文
【補正方法】変更
【補正の内容】
【特許請求の範囲】
【請求項１】
複数本の糸単体を束ねた糸材を編んでバンド本体を構成したバンドにおいて、
前記糸単体は、芯部とこの芯部を取り囲む外周部とからなり、
前記芯部は、光を吸収して熱を発生し、この発生した熱により加温される、加温性を有する合成繊維からなる加温部材を備え、
前記外周部は、前記加温部材により加温された熱をバンド本体の全域に伝える、熱伝導性を有する合成繊維からなる熱伝導性部材を備えていることを特徴するバンド。
【請求項２】
前記バンド本体は、湿気を吸収し、この吸収した湿気を外部に放出する吸放湿性を有するポリマー繊維からなる吸放湿性部材と、この吸放湿性部材により湿気を外部に放出する際に発生する気化熱を前記バンド本体の全域に熱伝導するための熱伝導性を有する合成繊維とからなる芯部と、湿気を外部に放出する際に発生する気化熱を前記バンド本体の全域に熱伝導するための合成繊維からなる外周部とで構成された糸単体を複数本束ねた他の糸材が編み込まれていることを特徴する請求項１に記載のバンド。
【請求項３】
前記バンド本体は、当該バンド本体の色彩性および装飾性を高める有色の通常糸材が編み込まれていることを特徴する請求項１に記載のバンド。
【請求項４】
湿気を吸収し、この吸収した湿気を放出するための放湿性を有する表面側合成皮革と、湿気をバンド本体の内部に吸収するために、この表面側合成皮革の裏面側に設けられた多孔質の裏面側合成皮革と、前記表面側合成皮革と前記裏面側合成皮革との間に設けられた内装材とでバンド本体が構成されていることを特徴するバンド。
【請求項５】
腕時計ケースと、この腕時計ケースの上面に設けた時計ガラスと、前記腕時計ケースの下面に設けた裏蓋と、前記腕時計ケースの内部に設けた時計モジュールとを備えている腕時計において、
前記腕時計ケースの下面側を覆い、かつ、前記裏蓋に対応する個所に開口部が設けられているカバー部材と、
このカバー部材における開口部に設けられ、湿気を吸収し、この吸収した湿気を前記裏蓋と前記カバー部材との間の隙間から外部に放出するための吸放湿部材と、
を備えていることを特徴する腕時計。
【請求項６】
前記吸放湿部材は、湿気を吸収し、この吸収した湿気を外部に放出するポリマー繊維からなる吸放湿性部材と、この吸放湿性部材により湿気を外部に放出する際に発生する気化熱を前記バンド本体の全域に熱伝導するための合成繊維からなる第１の熱伝導性部材とを備えている芯部、および前記第１の熱伝導性部材により熱伝導された気化熱を外部に放出するための合成繊維からなる第２の熱伝導性部材を備えている外周部とで構成された糸単体を複数本束ねた糸材を編んで構成されていることを特徴する請求項５に記載の腕時計。
【請求項７】
前記吸放湿部材の表面は、毛細管現象により湿気を前記吸放湿部材の面方向に導いて前記吸放湿部材の側面側から拡散放出する他の糸材が編み込まれていることを特徴する請求項５または６に記載の腕時計。